(57)【要約】  本発明の実施例は、パワー補償方法、ユーザ装置及び基地局を提供し、前記方法は、基地局がユーザ装置から報告されているパスロス値を受信し、又は、ユーザ装置から報告されている参照信号受信パワー値に基づいてパスロス値を計算すること、及び、パスロス値に基づいてパワー補償を行うことを含む。本発明の実施例により、信号のパワーに対して補償を行うことができるため、上り伝送又は下り伝送時に、受信端のパワーが同じであるようになり、これにより、コードブックベースの伝送方式を多重化することができる。
2014517579.tif 000002
【特許請求の範囲】
【請求項１】
基地局及び協調ノードがジョイントしてユーザ装置にサービスを提供する通信システムに用いるパワー補償方法であって、
前記基地局がユーザ装置から報告されているパスロス値を受信し、又は、前記ユーザ装置から報告されている参照信号受信パワー値に基づいてパスロス値を計算する、第一数値取得ステップであって、前記パスロス値は、前記ユーザ装置と基地局側との間の信号のパワー損失を指示するために用いられる、第一数値取得ステップ；及び
前記基地局が前記パスロス値に基づいて前記ユーザ装置からの上り信号に対してパワー補償を行う第一パワー補償ステップを含む、方法。
【請求項２】
請求項1に記載の方法であって、
前記基地局及び協調ノードは、異なるセル識別子を有し、前記パスロス値は、信号のユーザ装置から基地局までのパスロス値、及び、信号のユーザ装置から協調ノードまでのパスロス値を含み、
前記第一パワー補償ステップの前に、前記方法は、さらに、
前記基地局が前記从ユーザ装置から基地局までパスロス値、及び、前記ユーザ装置から協調ノードまでパスロス値、又は、両者間の差に基づいて、前記協調ノードと交互を行う第一情報交互ステップを含み、
且つ、前記第一パワー補償ステップは、具体的に、前記基地局が交互の結果に基づいて受信機の増幅器を調節し、又は、前記協調ノードに、受信機の増幅器を調節することを通知し、上り信号に対してパワー補償を行う、方法。
【請求項３】
請求項1に記載の方法であって、
前記基地局及び協調ノードは、同じセル識別子を有し、且つ、それぞれ、複数の異なるアンテナポートを有し、
前記第一数値取得ステップは、具体的に、前記基地局が前記ユーザ装置から報告されている複数アンテナポートのパスロス値を受信し、又は、前記ユーザ装置から報告されている複数アンテナポートの参照信号受信パワー値に基づいて前記複数アンテナポートのパスロス値を計算し、
前記第一パワー補償ステップは、具体的に、前記基地局が前記複数アンテナポートのパスロス値に基づいて、異なるアンテナポートの増幅器を調節し、上り信号に対してパワー補償を行う、方法。
【請求項４】
パワー補償方法であって、
ユーザ装置が参照信号受信パワー値を測量する第一数値測量ステップ；
測量された前記参照信号受信パワー値に基づいてパスロス値を計算する第一数値計算ステップであって、前記パスロス値は、前記ユーザ装置と基地局側との間の信号のパワー損失を指示するために用いられる、第一数値計算ステップ；及び
前記基地局に前記パスロス値又は前記参照信号受信パワー値を報告する第一数値報告ステップを含む、方法。
【請求項５】
基地局及び協調ノードがジョイントしてユーザ装置にサービスを提供する通信システムに用いるパワー補償方法であって、
前記基地局がユーザ装置から報告されているパスロス値を受信し、又は、前記ユーザ装置から報告されている参照信号受信パワー値に基づいてパスロス値を計算する第二数値取得ステップであって、前記パスロス値は、前記ユーザ装置と基地局側との間の信号のパワー損失を指示するために用いられる、第二数値取得ステップ；及び
前記基地局が前記パスロス値に基づいて前記ユーザ装置に送信されている下り信号に対してパワー補償を行う第二パワー補償ステップを含む、方法。
【請求項６】
請求項5に記載の方法であって、
前記基地局及び協調ノードは、異なるセル識別子を有し、前記パスロス値は、信号の基地局からユーザ装置までのパスロス値、及び、信号の協調ノードからユーザ装置までのパスロス値を含み、
前記第二パワー補償ステップの前に、前記方法は、さらに、
前記基地局が前記从基地局からユーザ装置までのパスロス値、及び、前記協調ノードからユーザ装置までのパスロス値、又は、両者間の差に基づいて、前記協調ノードと交互を行い、
且つ、前記第二パワー補償ステップは、具体的に、前記基地局が交互の結果に基づいて送信機の増幅器を調節し、又は、前記協調ノードに、送信機の増幅器を調節することを通知し、下り信号に対してパワー補償を行う、方法。
【請求項７】
請求項5に記載の方法であって、
前記基地局及び協調ノードは、同じセル識別子を有し、且つ、それぞれ、複数の異なるアンテナポートを有し、
前記第二数値取得ステップは、具体的に、前記基地局が前記ユーザ装置から報告されている複数アンテナポートのパスロス値を受信し、又は、前記ユーザ装置から報告されている複数アンテナポートの参照信号受信パワー値に基づいて前記複数アンテナポートのパスロス値を計算し、
前記第二パワー補償ステップは、具体的に、前記基地局が前記複数アンテナポートのパスロス値に基づいて、異なるアンテナポートに異なる送信パワーを割り当てる、方法。
【請求項８】
基地局及び協調ノードがジョイントしてユーザ装置にサービスを提供する通信システムに用いるパワー補償方法であって、
前記ユーザ装置が参照信号受信パワー値を測量する第二数値測量ステップ；
測量された前記参照信号受信パワー値に基づいてパスロス値を計算する第二数値計算ステップであって、前記パスロス値は、前記ユーザ装置と基地局側との間の信号のパワー損失を指示するために用いられる、第二数値計算ステップ；及び
前記ユーザ装置が前記パスロス値に基づいて基地局側からの下り信号に対してパワー補償を行う、第三パワー補償ステップを含む、方法。
【請求項９】
請求項8に記載の方法であって、
前記基地局及び協調ノードは、異なるセル識別子を有し、前記パスロス値は、信号の基地局からユーザ装置までのパスロス値、及び、信号の協調ノードからユーザ装置までのパスロス値を含み、
前記第三パワー補償ステップの前に、前記方法は、さらに、
前記ユーザ装置が前記从基地局からユーザ装置までのパスロス値、及び、協調ノードからユーザ装置までのパスロス値、又は、両者間の差に基づいて、前記基地局と交互を行う第三情報交互ステップを含み、
且つ、前記第三パワー補償ステップは、具体的に、前記ユーザ装置が交互の結果に基づいて増幅器を調整し、前記基地局からの下り信号、又は、前記協調ノードからの下り信号に対してパワー補償を行う、方法。
【請求項１０】
請求項8に記載の方法であって、
前記基地局及び協調ノードは、同じセル識別子を有し、且つ、それぞれ、複数の異なるアンテナポートを有し、
前記第二数値測量ステップは、具体的に、前記ユーザ装置が複数アンテナポートの参照信号受信パワー値を測量し、
前記第二数値計算ステップは、具体的に、測量された前記複数アンテナポートの参照信号受信パワー値に基づいて、前記複数アンテナポートのパスロス値を計算し、
前記第三パワー補償ステップは、具体的に、前記ユーザ装置が前記複数アンテナポートのパスロス値に基づいて増幅器を調整し、異なるアンテナポートからの下り信号に対してパワー補償を行う、方法。
【請求項１１】
請求項10に記載の方法であって、
前記第二数値測量ステップに前に、前記方法は、更に、
前記ユーザ装置が前記基地局から送信されている、前記複数アンテナポートの参照信号受信パワー値を受信する、又は、前記複数アンテナポートのパスロス値を計算する通知を受信する通知受信ステップを含む、方法。
【請求項１２】
基地局及び協調ノードがジョイントしてユーザ装置にサービスを提供する通信システムに用いる前記基地局であって、
ユーザ装置から報告されているパスロス値を受信し、又は、前記ユーザ装置から報告指されている参照信号受信パワー値に基づいてパスロス値を計算する第一数値取得器であって、前記パスロス値は、前記ユーザ装置と基地局側との間の信号のパワー損失を指示すために用いられる、第一数値取得器；及び
前記パスロス値に基づいて、前記ユーザ装置からの上り信号に対してパワー補償を行う、第一パワー補償器を含む、基地局。
【請求項１３】
請求項12に記載の基地局であって、
前記基地局及び協調ノードは、異なるセル識別子を有し、前記パスロス値は、信号のユーザ装置から基地局までのパスロス値、及び、信号のユーザ装置から協調ノードまでのパスロス値を含み、
前記基地局は、さらに、
前記从ユーザ装置から基地局までのパスロス値、及び、前記ユーザ装置から協調ノードまでのパスロス値、又は、両者間の差に基づいて、前記協調ノードと交互を行い、
且つ、前記第一パワー補償器は、具体的に，交互の結果に基づいて受信機の増幅器を調節し、又は、前記協調ノードに、受信機の増幅器を調節することを通知し、上り信号に対してパワー補償を行う、基地局。
【請求項１４】
請求項12に記載の基地局であって、
前記基地局及び協調ノードは、同じセル識別子を有し、且つ、それぞれ、複数の異なるアンテナポートを有し、
前記第一数値取得器は、具体的に、前記ユーザ装置から報告されている複数アンテナポートのパスロス値を受信し、又は、前記ユーザ装置から報告されている複数アンテナポートの参照信号受信パワー値に基づいて前記複数アンテナポートのパスロス値を計算するために用いられ、
前記第一パワー補償器は、具体的に、前記複数アンテナポートのパスロス値に基づいて、異なるアンテナポートの増幅器を調整し、上り信号に対してパワー補償を行うために用いられる、基地局。
【請求項１５】
ユーザ装置であって、
参照信号受信パワー値を測量する第一数値測量器；
測量された前記参照信号パワー値に基づいてパスロス値を計算する第一数値計算器であって、前記パスロス値は、前記ユーザ装置と基地局側との間の信号のパワー損失を指示するために用いられる、第一数値計算器；及び
前記基地局に前記パスロス値又は前記参照信号受信パワー値を報告するために用いられる、ユーザ装置。
【請求項１６】
基地局及び協調ノードがジョイントしてユーザ装置にサービスを提供する通信システムに用いる前記基地局であって、
ユーザ装置から報告されているパスロス値を受信し、又は、前記ユーザ装置から報告されている参照信号受信パワー値に基づいてパスロス値を計算する第二数値取得器であって、前記パスロス値は、前記ユーザ装置と基地局側との間の信号のパワー損失を指示するために用いられる、第二数値取得器；及び
前記パスロス値に基づいて前記ユーザ装置に送信する下り信号に対してパワー補償を行う第二パワー補償器を含む、基地局。
【請求項１７】
請求項16に記載の基地局であって、
前記基地局及び協調ノードは、異なるセル識別子を有し、前記パスロス値は、信号の基地局からユーザ装置までのパスロス値、及び、信号の協調ノードからユーザ装置までのパスロス値を含み、
前記基地局は、さらに、
前記基地局からユーザ装置までのパスロス値、及び、前記協調ノードからユーザ装置までのパスロス値、又は、両者間の差に基づいて、前記協調ノードと交互を行う第二情報交互器を含み、
且つ、前記第二パワー補償器は、具体的に、交互の結果に基づいて送信機の増幅器を調節し、又は、前記協調ノードに、送信機の増幅器を調節することを通知し、下り信号に対してパワー補償を行う、基地局。
【請求項１８】
請求項16に記載の基地局であって、
前記基地局及び協調ノードは、同じセル識別子を有し、且つ、それぞれ、複数の異なるアンテナポートを有し、
前記第二数値取得器は、具体的に、前記ユーザ装置から報告されている複数アンテナポートのパスロス値を受信し、又は、前記ユーザ装置から報告されている複数アンテナポートの参照信号受信パワー値に基づいて、前記複数アンテナポートのパスロス値を計算するために用いられ、
前記第二パワー補償器は、具体的に、前記複数アンテナポートのパスロス値に基づいて異なるアンテナポートに異なる送信パワーを割り当てる、基地局。
【請求項１９】
基地局及び協調ノードがジョイントしてユーザ装置にサービスを提供する通信システムに用いるユーザ装置であって、
参照信号受信パワー値を測量する第二数値測量器；
測量された前記参照信号受信パワー値に基づいてパスロス値を計算する第二数値計算器であって、前記パスロス値は、前記ユーザ装置と基地局側との間の信号のパワー損失を指示するために用いられる、第二数値計算器；及び
前記パスロス値に基づいて基地局側からの下り信号に対してパワー補償を行う第三パワー補償器を含む、ユーザ装置。
【請求項２０】
請求項19に記載のユーザ装置であって、
前記基地局及び協調ノードは、異なるセル識別子を有し、前記パスロス値は、信号の基地局からユーザ装置までのパスロス値、及び、信号の協調ノードからユーザ装置までのパスロス値を含み、
前記ユーザ装置は、さらに、
前記基地局からユーザ装置までのパスロス値、及び、協調ノードからユーザ装置までのパスロス値、又は、両者間の差に基づいて、前記基地局と交互を行う第三情報交互器を含み、
且つ、前記第三パワー補償器は、具体的に、交互の結果に基づいて増幅器を調整し、前記基地局からの下り信号、又は、前記協調ノードからの下り信号に対してパワー補償を行う、ユーザ装置。
【請求項２１】
請求項19に記載のユーザ装置であって、
前記基地局及び協調ノードは、同じセル識別子を有し、且つ、それぞれ、複数の異なるアンテナポートを有し、
前記第二数値測量器は、具体的に、複数アンテナポートの参照信号受信パワー値を取得するために用いられ、
前記第二数値計算器は、具体的に，測量された前記複数アンテナポートの参照信号受信パワー値に基づいて、前記複数アンテナポートのパスロス値を計算するために用いられ、
前記第三パワー補償器は、具体的に、前記複数アンテナポートのパスロス値に基づいて、増幅器を調整し、異なるアンテナポートからの下り信号に対してパワー補償を行う、ユーザ装置。
【請求項２２】
請求項21に記載のユーザ装置であって、さらに、
前記基地局から送信されている、前記複数アンテナポートの参照信号受信パワー値を測量する、又は、前記複数アンテナポートのパスロス値を計算する通知を受信するための通知受信器を含む、ユーザ装置。
【請求項２３】
コンピュータ可読プログラムであって、
基地局において前記プログラムを実行する時に、前記プログラムは、コンピュータに、前記基地局において、請求項1乃至3、又は、5乃至7のいずれか１項に記載のパワー補償方法を実行させる、プログラム。
【請求項２４】
コンピュータ可読プログラムを記憶している記憶媒体であって、
前記コンピュータ可読プログラムは、コンピュータに、基地局において、請求項1乃至3、又は、5乃至7のいずれか１項に記載のパワー補償方法を実行させる、記憶媒体。
【請求項２５】
コンピュータ可読プログラムであって、
ユーザ装置において前記プログラムを実行する時に、前記プログラムは、コンピュータに、前記ユーザ装置において、請求項4、又は、8乃至11のいずれか１項に記載のパワー補償方法を実行させる、プログラム。
【請求項２６】
コンピュータ可読プログラムを記憶している記憶媒体であって、
前記コンピュータ可読プログラムは、コンピュータに、基地局において請求項4、又は、8乃至11のいずれか１項に記載のパワー補償方法を実行させる、記憶媒体。
【発明の詳細な説明】
【技術分野】
【０００１】
本発明は、無線通信分野に関し、特に、パワー補償方法、ユーザ装置及び基地局に関する。
【背景技術】
【０００２】
ロング・ターム・エボリューション・アドバンスド（LTE-A、long  term  evaluation  advanced）システムでは、セルのカバレッジ及びユーザのエクスペリエンスを改善し、システムのスループット及びユーザのデータ伝送レートを向上させるために、今のところ、多地点（マルチポイント）協調（CoMP、Coordinated  Multi-points）送信又は受信技術が導入されている。このような技術は、複数の地理位置に分散している伝送ポイントを一つのユーザによるサービスとして協調させ、ユーザのパフォーマンスのエクスペリエンスを向上させることができる。
【０００３】
また、LTE-Aシステムでは、従来のセルネットワークとは異なる幾つかのヘテロジニアスネットワークノードが導入されている。これらのヘテロジニアスネットワークノード、例えば、ホーム基地局(HeNB、Home  eNodeB)、ピコセルPico-cell、リモートラジオヘッド（RRH、Radio  Remote  Head）などは、比較的低い送信パワーを用いて特定の領域又はユーザをカバーし、ネットワークの構成方式が相対的に柔軟であり、構成が合理的であれば、ユーザのエクスペリエンスを大幅に向上させることができる。
【０００４】
CoMPの作動モードは、２種類、即ち、CS/CB（Coordinated  scheduling  and/or  beamforming）及びJP（Joint  processing/transmission）に分けることができる。CS/CBは、同時に一つだけの伝送ポイントがUEのためにデータを送信することを表し、JPは、同時にUEのためにデータを送信する伝送ポイントが複数あることを表す。伝送ポイントのタイプは、従来のマクロセル基地局又はRRHであってもよく、Pico基地局などのヘテロジニアスネットワークノードであってもよく、高パワーノードである可能性があり、低パワーノードである可能性もある。CoMPは、JPモードで作動し、地理上の分布式の複数伝送ポイントのアンテナを利用すれば、ジョイントされるマルチアンテナとしてユーザのチャネル容量を向上させることができる。
【０００５】
しかし、本発明の実施過程において、本発明の発明者は、上述のCoMPのジョイントマルチアンテナ技術が従来の標準におけるコードブック（codebook）ベースの伝送モードを採用すれば、次のような問題が現れる可能性があることを発見した。即ち：
従来のcodebookは、マルチアンテナが同じ地理位置に位置するという黙認のことに基づいて設計されるものであり、言い換えると、従来のcodebookは、チャネルマトリックスHの各要素の幅値が一致するという仮定条件の下で設計されるものである。しかし、CoMPのジョイントマルチアンテナ技術の応用場面では、協調する伝送ポイントが分散するため、各アンテナのポートとUEとの距離に差がある。
【０００６】
特に、各伝送ポイントの送信パワーが異なるヘテロジニアスネットワークでは、受信端の各アンテナのポートが送信端の各アンテナのポートを受信するパワーに差があり、このように、チャネルマトリックスHの各要素の幅値が異なることをもたらすようになる。従来のcodebookは、このようなチャネル特性に適応することができず、所望の効果を達成することができない。
【０００７】
なお、上述の背景技術に対する紹介は、本発明の技術案を明確かつ完全に説明し、且つ、当業者が本発明を理解しやすいためのものだけである。これらの案が本発明の背景技術的部分に述べられているから、上述の技術案が当業者にとって周知のものであると思われてはいけない。
【発明の概要】
【発明が解決しようとする課題】
【０００８】
本発明の実施例は、パワー補償方法、ユーザ装置及び基地局を提供する。目的は、下り信号又は上り信号のパワーに対して補償を行うことにある。
【課題を解決するための手段】
【０００９】
本発明の実施例の一側面によれば、基地局及び協調ノードがジョイントしてユーザ装置にサービスを提供する通信システムに用いるパワー補償方法が提供される。前記方法は、
第一数値取得ステップであって、基地局がユーザ装置から報告されているパスロス値を受信し、又は、前記ユーザ装置から報告されている参照信号受信パワー値に基づいてパスロス値を計算し、前記パスロス値が前記ユーザ装置と基地局側との間の信号のパワー損失を指示するために用いられる、第一数値取得ステップ；及び、
第一パワー補償ステップであって、前記基地局が前記パスロス値に基づいて前記ユーザ装置からの上り信号に対してパワー補償を行う、第一パワー補償ステップを含む。
【００１０】
本発明の実施例の他の側面によれば、パワー補償方法が提供される。前記方法は、
第一数値測量ステップであって、ユーザ装置が参照信号受信パワー値を測量する、第一数値測量ステップ；
第一数値計算ステップであって、測量された前記参照信号受信パワー値に基づいてパスロス値を計算し、前記パスロス値が前記ユーザ装置と基地局側と間の信号のパワー損失を指示するために用いられる、第一数値計算ステップ；及び、
第一数値報告ステップであって、前記基地局に前記パスロス値又は参照信号受信パワー値を報告する、第一数値報告ステップを含む。
【００１１】
本発明の実施例の他の側面によれば、基地局及び協調ノードがジョイントしてユーザ装置にサービスを提供する通信システムに用いるパワー補償方法が提供される。前記方法は、
第二数値取得ステップであって、基地局がユーザ装置から報告されているパスロス値を受信し、又は、前記ユーザ装置から報告されている参照信号受信パワー値に基づいてパスロス値を計算し、前記パスロス値が前記ユーザ装置と前記基地局側と間の信号のパワー損失を指示するために用いられる、第二数値取得ステップ；及び、
第二パワー補償ステップであって、前記基地局が前記パスロス値に基づいて前記ユーザ装置に送信する下り信号に対してパワー補償を行う、第二パワー補償ステップを含む。
【００１２】
本発明の実施例の他の側面によれば、基地局及び協調ノードがジョイントしてユーザ装置にサービスを提供する通信システムに用いるパワー補償方法が提供される。前記方法は、
第二数値測量ステップであって、ユーザ装置が参照信号受信パワー値を測量する、第二数値測量ステップ；
第二数値計算ステップであって、測量された前記参照信号受信パワー値に基づいてパスロス値を計算し、前記パスロス値が前記ユーザ装置と基地局側との間の信号のパワー損失を指示するために用いられる、第二数値計算ステップ；及び、
第三パワー補償ステップであって、前記ユーザ装置が前記パスロス値に基づいて基地局側からの下り信号に対してパワー補償を行う、第三パワー補償ステップを含む。
【００１３】
本発明の実施例の他の側面によれば、基地局及び協調ノードがジョイントしてユーザ装置にサービスを提供する通信システムに用いる基地局が提供される。前記基地局は、
第一数値取得器であって、ユーザ装置から報告されているパスロス値を受信し、又は、前記ユーザ装置から報告されている参照信号受信パワー値に基づいてパスロス値を計算し、前記パスロス値が前記ユーザ装置と基地局側との間の信号のパワー損失を指示するために用いられる、第一数値取得器；及び、
第一パワー補償器であって、前記パスロス値に基づいて前記ユーザ装置からの上り信号に対してパワー補償を行う、第一パワー補償器を含む。
【００１４】
本発明の実施例の他の側面によれば、ユーザ装置が提供される。前記ユーザ装置は、
第一数値測量器であって、参照信号受信パワー値を測量する、第一数値測量器；
第一数値計算器であって、測量された前記参照信号受信パワー値に基づいてパスロス値を計算し、前記パスロス値が前記ユーザ装置と基地局側との間の信号のパワー損失を指示するために用いられる、第一数値計算器；及び、
第一数値報告器であって、前記基地局に前記パスロス値又は参照信号受信パワー値を報告する、第一数値報告器を含む。
【００１５】
本発明の実施例の他の側面によれば、基地局及び協調ノードがジョイントしてユーザ装置にサービスを提供する通信システムに用いる基地局が提供される。前記基地局は、
第二数値取得器であって、ユーザ装置から報告されているパスロス値を受信し、又は、前記ユーザ装置から報告されている参照信号受信パワー値に基づいてパスロス値を計算し、前記パスロス値が前記ユーザ装置と基地局側と間の信号のパワー損失を指示するために用いられる、第二数値取得器；及び、
第二パワー補償器であって、前記パスロス値に基づいて前記ユーザ装置に送信する下り信号に対してパワー補償を行う、第二パワー補償器を含む。
【００１６】
本発明の実施例の他の側面によれば、基地局及び協調ノードがジョイントしてユーザ装置にサービスを提供する通信システムに用いるユーザ装置が提供される。前記ユーザ装置、
第二数値測量器であって、参照信号受信パワー値を測量する、第二数値測量器；
第二数値計算器であって、測量された前記参照信号受信パワー値に基づいてパスロス値を計算し、前記パスロス値が前記ユーザ装置と基地局側との間の信号のパワー損失を指示するために用いられる、第二数値計算器；及び、
第三パワー補償器であって、前記パスロス値又は参照信号受信パワー値に基づいて、基地局側からの下り信号に対してパワー補償を行う、第三パワー補償器を含む。
【００１７】
本発明の実施例の他の側面によれば、コンピュータ可読プログラムが提供される。そのうち、基地局において前記プログラムを実行する時に、前記プログラムは、コンピュータに、基地局において上述のパワー補償方法を実行させる。
【００１８】
本発明の実施例の他の側面によれば、コンピュータ可読プログラムを記憶している記憶媒体が提供される。そのうち、前記コンピュータ可読プログラムは、コンピュータに、基地局において上述のパワー補償方法を実行させる。
【００１９】
本発明の実施例の他の側面によれば、コンピュータ可読プログラムが提供される。そのうち、ユーザ装置において前記プログラムを実行する時に、前記プログラムは、コンピュータに、前記ユーザ装置において上述のパワー補償方法を実行させる。
【００２０】
本発明の実施例の他の側面によれば、コンピュータ可読プログラムを記憶している記憶媒体が提供される。そのうち、前記コンピュータ可読プログラムは、コンピュータに、基地局において上述のパワー補償方法を実行させる。
【００２１】
本発明の実施例の有益な効果は、パスロス値又は参照信号受信パワー値に基づいて、基地局側又はユーザ装置側が、信号のパワーに対して補償を行うことができ、上り伝送又は下り伝送時に各受信端のパワーが同じであるようになり、これにより、コードブックベースの伝送方式を多重化することができる。
【００２２】
後述の説明及び図面を参照することにより、本発明の特定の実施形態が詳細に開示され、本発明の原理を採用し得る形態が明確にされる。なお、本発明の実施形態は、範囲上で、これらに限定されることがない。添付した特許請求の範囲の精神及び技術的範囲内では、本発明の実施形態は、あらゆる変更、修正及び代替によるものを含む。
【００２３】
一つの実施形態について説明した及び/又は示した特徴は、同じ又は類似する方式で、一つ又は複数の他の実施形態に用い、他の実施形態における特徴と組み合わせ、又は、他の実施形態における特徴を置換することができる。
【００２４】
なお、“包括（有する）/含む”というような語は、本文に用いる時に、特徴、部品全体、ステップ又は組み立て部品の存在を指すが、一つ又は複数の他の特徴、部品全体、ステップ又は組み立て部品の存在又は付加を排除しないことである。
【図面の簡単な説明】
【００２５】
以下の図面を参照することによって本発明のあらゆる側面をより良く理解することができる。図面中の部品は、比例して描かれたものではなく、本発明の原理を示すためだけのものである。また、本発明の一部を容易に示す又は説明するために、図面中の対応する部分は、拡大又は縮小することがある。
【００２６】
また、本発明の一つの図面又は一つの実施形態に記載される要素及び特徴は、一つ又は複数の他の図面又は実施形態に示される要素及び特徴と組み合わせることができる。また、図面中では、類似する符号は、幾つかの図面中の対応する部品を示し、また、複数の実施形態に用いる対応する部品を示すために用いられてもよい。
【図１】下りリンクにおけるプリコーディング処理を示す図である。
【図２】上りリンクにおけるデコーディング処理を示す図である。
【図３】本発明の実施例1におけるパワー補償方法のフローチャートである。
【図４】本発明の実施例1におけるパワー補償方法の他のフローチャートである。
【図５】本発明の実施例1におけるパワー補償方法の他のフローチャートである。
【図６】本発明の実施例1における基地局の構成図である。
【図７】本発明の実施例1における基地局の他の構成図である。
【図８】本発明の実施例1におけるユーザ装置の構成図である。
【図９】本発明の実施例2におけるパワー補償方法のフローチャートである。
【図１０】本発明の実施例2におけるパワー補償方法の他のフローチャートである。
【図１１】本発明の実施例2における基地局の構成図である。
【図１２】本発明の実施例2における基地局の他の構成図である。
【図１３】本発明の実施例3におけるパワー補償方法のフローチャートである。
【図１４】本発明の実施例3におけるパワー補償方法の他のフローチャートである。
【図１５】本発明の実施例3における基地局の構成図である。
【図１６】本発明の実施例3におけるユーザ装置の他の構成図である。
【図１７】本発明の実施例におけるユーザ装置のシステム構成図である。
【図１８】本発明の実施例におけるユーザ装置の他のシステム構成図である。
【発明を実施するための形態】
【００２７】
図面を参照すること及び次に説明することにより、本発明の前述及び他の特徴がより明確になる。明細書及び図面では、本発明の特定の実施形態が具体的に開示されており、それは、そのうち、本発明の原理を採用し得る部分の実施形態を示しているが、理解すべきは、本発明は、示されている実施形態に限定されず、逆に、本発明は、添付した特許請求の範囲内において行った全ての変更、変形及び代替によるものを含むとのことである。
【００２８】
本発明の実施形態は、LTE-Aシステムを例として説明を行い、ヘテロジニアスネットワークのマルチポイント協調伝送及び受信中のマルチアンテナ強化技術、測量メカニズム及びシグナリング交互（Interaction）に関する。しかし、理解すべきは、本発明はこのようなシステムに限られず、マルチポイント協調技術を採用する全てのシステムにも適用し得るとのことである。
【００２９】
図1は、下りリンクにおけるプリコーディング処理を示す図である。図2は、上りリンクにおけるデコーディング処理を示す図である。図1及び2に示すように、基地局側は、地理的に分布している基地局A及び協調ノードBを含んでもよく、基地局A及び協調ノードBにより、ユーザ装置にサービスを提供する。そのうち、基地局Aは、マクロ基地局であってよく、複数のアンテナを含んでもよく、協調ノードBは、Pico基地局、RRHなどであってもよく、複数のアンテナを含んでも良い。
【００３０】
図1及び図2は、例示的な説明のためのものであり、本発明のシステム構成は、これに限定されず、例えば、さらに、より多くの伝送ポイントを含んでもよい。なお、本発明の前述の基地局側は、ユーザ装置に対するもののみであり、基地局及び協調ノードを含んでもよい。
【実施例１】
【００３１】
本発明の実施例は、上り信号のパワーに対して補償を行うために用いるパワー補償方法を提供する。ユーザ装置の対後交換性（即ち、上位互換性：Backward  Compatibility）を確保するために、本発明の実施例は、基地局側でパワーに対して補償を行う。
【００３２】
図3は、本発明の実施例におけるパワー補償方法のフローチャートであり、この方法は、基地局及び協調ノードがジョイントしてユーザ装置にサービスを提供する通信システムに応用する。図3に示すように、該方法は、次のようなステップを含む。
【００３３】
ステップ301：基地局がユーザ装置から報告されているパスロス値を受信し、又は、ユーザ装置から報告されている参照信号受信パワー値に基づいてパスロス値を計算し、該パスロス値が、ユーザ装置と基地局側との間の信号のパワー損失を指示するために用いられる。
【００３４】
ステップ302：基地局が該パスロス値に基づいてユーザ装置からの上り信号に対してパワー補償を行う。
【００３５】
本実施例では、参照信号受信パワー（RSRP、Reference  Signal  Receiving  Power）は、LTE-Aネットワークにおいて無線信号強度を代表し得るキーパラメータである。ユーザ装置は、従来の標準に基づいてRSRP値を取得することができ、また、従来の技術を採用することもできるので、ここでは、詳しい説明を略す。
【００３６】
本実施例では、ユーザ装置は、RSRP値に基づいてパスロス値（Pathloss）を推定することができ、該パスロス値は、ユーザ装置と基地局側との間の信号のパワー損失を指示するために用いられ得る。例えば、RSRP値が-60dBmであり、基地局からユーザ装置へのパワーが予め30dBmと設置されている場合、ユーザ装置は、該Pathloss値が90dBであると推定することができる。以上は、Pathloss値の推定についての例示的な説明だけであり、言い換えると、これに限定されず、実際の状況に応じて具体的な計算方式を確定してもよい。
【００３７】
本実施例では、ユーザ装置はPathloss値を基地局に報告することができる。基地局は、該Pathloss値を受信した後に、該Pathloss値に基づいて受信パワーの補償を行うことができる。又は、ユーザ装置は、該RSRP値を基地局に報告し、基地局は、該RSRP値を受信したに、該RSRP値に基づいてPathloss値を推定し、その後、該Pathloss値に基づいて受信パワーの補償を行うこともできる。
【００３８】
具体的な実施に当たって、システムの構成は図2に示すようなものであってもよく、基地局側は、地理的に分布している基地局A及び協調ノードBを含む。
【００３９】
一実施形態では、基地局及び協調ノードは、異なるセル識別子を有し、基地局Aは、マクロ基地局であってもよく、協調ノードBは、Pico基地局であっても良い。図4は、本発明の実施例におけるパワー補償方法の他のフローチャートである。図4に示すように、該方法は、次のようなステップを含む。
【００４０】
ステップ401：基地局がユーザ装置から報告されているPathloss値を受信し、又は、ユーザ装置から報告されているRSRP値に基づいてPathloss値を計算する。
【００４１】
具体的には、Pathloss値は、信号のユーザ装置から基地局までのパスロス値、及び、信号のユーザ装置から協調ノードまでのパスロス値を含んでもよく、基地局は、複数のPathloss値を受信することができる。
【００４２】
例えば、基地局Aは、ユーザ装置から報告されている、ユーザ装置から基地局AまでのPathloss値、及び、ユーザ装置から協調ノードBまでのPathloss値を受信することができる。なお、このような場合、基地局Aが協調ノードBの送信パワーをユーザ装置に通知することを要し、ユーザ装置は、該協調ノードBの送信パワー及び協調ノードBのRSRP値に基づいて、ユーザ装置から該協調ノードBまでのPathloss値を計算する。
【００４３】
また、ユーザ装置は、協調ノードBのRSRP値を基地局Aに報告し、該基地局Aは、該協調ノードBのRSRP値、及び、該協調ノードBの送信パワーに基づいて、ユーザ装置から該協調ノードBまでのPathloss値を推定してもよい。
【００４４】
ステップ402：基地局がPathloss値又はPathloss値の差に基づいて、協調ノードと交互（やり取り）を行う。
【００４５】
本実施例では、基地局がPathloss値に基づいて協調ノードと交互を行ってもよい。交互の内容は、ユーザ装置から基地局までPathloss値、ユーザ装置から協調ノードまでのPathloss値など、又は、両者間の差などを含んでも良い。これは、上位層シグナリングにより実現することができ、また、従来の技術を採用することもできるので、ここでは、詳しい説明を省略する。
【００４６】
ステップ403：基地局が交互の結果に基づいて受信機の増幅器を調節し、又は、協調ノードに、受信機の増幅器を調節することを通知し、上り信号に対してパワー補償を行う。
【００４７】
以下、具体的な例に基づいて上述の方法について説明を行う。
【００４８】
例えば、ユーザ装置が基地局A及び協調ノードBに送信する上り信号のパワーは全て24dBmである。先ず、基地局Aは、ユーザ装置から報告されているユーザ装置から基地局Aまでのパスロス値Pathloss_A=90dB、及び、ユーザ装置から協調ノードBまでのパスロス値Pathloss_B=80dBを受信し、次に、基地局Aは、Pathloss_A及びPathloss_Bに基づいて、協調ノードBと交互を行い、交互の内容は、80dB及び90dB、又は、両者の差10を含んでもよく、最後に、基地局Aは、交互の結果に基づいて増幅器を調整し、ユーザ装置からの上り信号に対し増幅を行い、これにより、該上り信号のパワーは、24-90=-66dBmから-56dBmになり、協調ノードBが受信しているユーザ装置からの上り信号のパワーは、不変であり、依然として24-80=-56dBmである。よって、上り伝送時に、各受信端のパワーが同じであるようにさせることができるため、従来のCodebookを使用することができる。
【００４９】
以上は、基地局側から上り信号のパワーに対して補償を行うことについての例示的な説明だけであり、しかし、これに限定されず、実際の状況に応じて具体的な実施形態を確定してもよい。
【００５０】
他の実施形態では、基地局及び協調ノードは、同じセル識別子を有し、且つ、それぞれ、複数のアンテナポートを有し、基地局Aは、マクロ基地局であってもよく、協調ノードBは、RRHであってもよい。
【００５１】
具体的な実施に当たって、協調ノードBの複数アンテナは、基地局Aの延伸と見なされてもよく、基地局Aは、協調ノードBのアンテナを制御することができ、即ち、基地局Aは、複数に地理的に分布する、異なるアンテナポートを有してもよい。具体的に如何に制御するかは、従来の技術を採用して実現してもよいので、ここでは、詳しい説明を省略する。
【００５２】
さらに、ステップ301は、具体的には、基地局がユーザ装置から報告されている複数アンテナポートのPathloss値を受信し、又は、ユーザ装置から報告されている複数アンテナポートのRSRP値に基づいて、複数アンテナポートのパスロス値を計算する。
【００５３】
さらに、ステップ302は、具体的には、基地局が複数アンテナポートのPathloss値に基づいて、異なるアンテナポートの増幅器を調節し、これにより、ユーザ装置からの上り信号に対してパワー補償を行う。
【００５４】
以下、具体的な例に基づいて上述の方法について説明する。例えば、ユーザ装置が基地局A及び協調ノードBに送信する上り信号のパワーは全て24dBmである。
【００５５】
まず、基地局Aは、ユーザ装置から報告されている、ユーザ装置から基地局A中の4個のアンテナポートまでのパスロス値Pathloss_1=90dB、Pathloss_2=90.01dB、Pathloss_3=90.02dB、Pathloss_4=90.03dB、及び、ユーザ装置から協調ノードB中の4個のアンテナポートまでのパスロス値Pathloss_5=80dB、Pathloss_6=80.51dB、Pathloss_7=80.52dB、Pathloss_8=80.53dBを受信する。
【００５６】
次に、基地局Aは、上述のPathloss_1乃至Pathloss_8に基づいて、基地局A及び協調ノードBの異なるアンテナポートの増幅器を調節し、ユーザ装置からの上り信号に対して増幅を行い、これにより、基地局A中のアンテナポート1が受信した上り信号のパワーは、-66dBmから-56dBmになり、アンテナポート2が受信した上り信号のパワーは-66.01dBmから-56dBmになり、アンテナポート3が受信した上り信号のパワーは-66.02dBmから-56dBmになり、アンテナポート4が受信した上り信号のパワーは-66.03dBmから56dBmになる。
【００５７】
ところが、協調ノードB中のアンテナポート5は、その調整が行われず、受信した上り信号のパワーは、依然として-56dBmであり、アンテナポート6が受信した上り信号のパワーは-56.51dBmから-56dBmになり、アンテナポート7が受信した上り信号のパワーは-56.52dBmから-56dBmになり、アンテナポート8が受信した上り信号のパワーは-56.53dBmから-56dBmになる。よって、上り伝送時に、受信端の各アンテナポートのパワーが同じであるようにさせることができるため、従来のCodebookを使用することができる。
【００５８】
以上は、基地局側から上り信号のパワー補償を行うことについての例示的な説明だけであり、しかし、これに限定されず、実際の状況に基づいて具体的な実施形態を確定することができる。
【００５９】
本発明の実施例は、さらに、パワー補償方法を提供し、該方法は、ユーザ装置側に用いる。図5は、本発明の実施例におけるパワー補償方法の他のフローチャートである。図5に示すように、該方法は、次のステップを含む。
【００６０】
ステップ501：ユーザ装置が参照信号受信パワー値を測量する。
【００６１】
ステップ502：測量した参照信号受信パワー値に基づいてパスロス値を計算し、該パスロス値が、ユーザ装置と基地局側との間の信号のパワー損失を指示するために用いられる。
【００６２】
ステップ503：ユーザ装置が基地局にパスロス値又は参照信号受信パワー値を報告する。
【００６３】
上述の実施例から分かるように、ユーザ装置から報告されているパスロス値又は参照信号受信パワー値に基づいて、基地局側では、上り信号のパワーに対して補償を行うことができ、これにより、上り伝送時に、受信端のパワーが同じであるようになるため、コードブックベースの伝送方式を多重化することができる。
【００６４】
本発明の実施例は、さらに、基地局を提供し、該基地局は、上り信号のパワーに対して補償を行うために用いられる。図6は、本発明の実施例における基地局の構成図であり、該基地局は、基地局及び協調ノードがジョイントしてユーザ装置にサービスを提供する通信システムに用いる。
【００６５】
図6に示すように、該基地局は、第一数値取得器601及び第一パワー補償器602を含む。
【００６６】
そのうち、第一数値取得器601は、ユーザ装置から報告されているパスロス値を受信し、又は、第一数値取得器601は、ユーザ装置から報告されている参照信号受信パワー値に基づいてパスロス値を計算し、パスロス値は、ユーザ装置と基地局側との間の信号のパワー損失を指示するために用いられる。
【００６７】
第一パワー補償器602は、パスロス値に基づいてユーザ装置からの上り信号に対してパワー補償を行う。
【００６８】
一実施形態では、基地局及び協調ノードは、異なるセル識別子を有する。図7は、本発明の実施例における基地局の他の構成図ある。図7に示すように、該基地局は、第一数値取得器601及び第一パワー補償器602を含み、上述のようである。
【００６９】
本実施例では、パスロス値は、信号のユーザ装置から基地局までのパスロス値、及び、信号のユーザ装置から協調ノードまでのパスロス値を含む。図7に示すように、該基地局は、さらに、第一情報交互器701を含んでも良い。
【００７０】
第一情報交互器701は、ユーザ装置から基地局までのパスロス値、及び、ユーザ装置から協調ノードまでのパスロス値、又は、両者間の差に基づいて、該協調ノードと交互を行う。
【００７１】
さらに、第一パワー補償器602は、具体的に、交互の結果に基づいて受信機の増幅器を調節し、又は、協調ノードに受信機の増幅器を調節することを通知し、上り信号に対してパワー補償を行う。
【００７２】
他の実施形態では、基地局及び協調ノードは、同じセル識別子を有し、且つ、それぞれ、複数の異なるアンテナポートを有する。
【００７３】
第一数値取得器601は、具体的に、ユーザ装置から報告されている複数アンテナポートのパスロス値を受信し、又は、ユーザ装置から報告されている複数アンテナポートの参照信号受信パワー値に基づいて複数アンテナポートのパスロス値を計算するために用いられる。
【００７４】
第一パワー補償器602は、具体的に、複数アンテナポートのパスロス値に基づいて異なるアンテナポートの増幅器を調節し、上り信号に対してパワー補償を行うために用いられる。
【００７５】
本発明の実施例は、さらに、ユーザ装置を提供し、該ユーザ装置は、上り信号のパワーに対して補償を行うために用いられる。図8は、本発明の実施例におけるユーザ装置の構成図である。図8に示すように、該ユーザ装置は、第一数値測量器801、第一数値計算器802及び第一数値報告器803を含む。
【００７６】
そのうち、第一数値測量器801は、参照信号受信パワー値を測量するために用いられる。
【００７７】
第一数値計算器802は、測量された参照信号受信パワー値に基づいてパスロス値を計算し、該パスロス値は、ユーザ装置と基地局側との間の信号のパワー損失を指示するために用いられる。
【００７８】
第一数値報告器803は、基地局に、パスロス値又は参照信号受信パワー値を報告するために用いられる。
【００７９】
上述の実施例から分かるように、ユーザ装置から報告されているパスロス値又は参照信号受信パワー値に基づいて、基地局側は、ユーザ装置から上り信号のパワーに対して補償を行うことができ、これにより、上り伝送時に、各受信端のパワーが同じであるようになるため、コードブックベースの伝送方式を多重化することができる。
【実施例２】
【００８０】
本発明の実施例は、パワー補償方法を提供し、該方法は、基地局側から下り信号のパワーに対して補償を行うために用いられる。図9は、本発明の実施例におけるパワー補償方法のフローチャートであり、該方法は、基地局と協調ノードとがジョイントしてユーザ装置にサービスを提供する通信システムに用いる。
【００８１】
図9に示すように、該方法は、次のようなステップを含む。
【００８２】
ステップ901：基地局がユーザ装置から報告されているパスロス値を受信し、又は、ユーザ装置から報告されている参照信号受信パワー値に基づいてパスロス値を計算し、該パスロス値は、ユーザ装置と基地局側との間の信号のパワー損失を指示するために用いられる。
【００８３】
ステップ902：基地局が該パスロス値に基づいて該ユーザ装置に送信する下り信号に対してパワー補償を行う。
【００８４】
本実施例では、ユーザ装置は、Pathloss値を基地局に報告することができる。基地局は、該Pathloss値を受信した後に、該Pathloss値に基づいて送信パワーの補償を行うことができる。又は、ユーザ装置は、RSRP値を基地局に報告することもでき、基地局は、該RSRP値を受信した後に、該RSRP値に基づいてPathloss値を推定し、その後、該Pathloss値に基づいて受信パワーの補償を行うことができる。
【００８５】
具体的な実施に当たって、システムの構成は、図1に示すようであってもよく、基地局側は、地理的に分布する基地局A及び協調ノードBを含む。
【００８６】
一実施形態では、基地局A及び協調ノードBは、異なるセル識別子を有し、基地局Aは、マクロ基地局であってよく、協調ノードBは、Pico基地局であってもよい。図10は本発明の実施例におけるパワー補償方法の他のフローチャートである。図10に示すように、該方法は、次のようなステップを含む。
【００８７】
ステップ1001：基地局がユーザ装置から報告されているPathloss値を受信し、又は、ユーザ装置から報告されているRSRP値に基づいてPathloss値を計算する。
【００８８】
具体的には、Pathloss値は、信号の基地局からユーザ装置までのパスロス値、及び、信号の協調ノードからユーザ装置までのパスロス値を含んでもよく、基地局は、複数のPathloss値を受信することができる。
【００８９】
例えば、基地局Aは、ユーザ装置から報告されている、基地局Aからユーザ装置までのPathloss値、及び、協調ノードBからユーザ装置までのPathloss値を受信することができる。なお、このような場合、基地局Aが協調ノードBの送信パワーをユーザ装置に通知することを要し、ユーザ装置は、該協調ノードBの送信パワー及び協調ノードBのRSRP値に基づいて、該協調ノードBからユーザ装置までのPathloss値を推定する。
【００９０】
また、ユーザ装置は、協調ノードBのRSRP値を基地局Aに報告してもよく、該基地局Aは、該協調ノードBのRSRP値、及び、該協調ノードBの送信パワーに基づいて、該協調ノードBからユーザ装置までのPathloss値を推定する。
【００９１】
ステップ1002：基地局がPathloss値又はPathloss値の差に基づいて協調ノードと交互を行う。
【００９２】
具体的には、基地局は、Pathloss値に基づいて、協調ノードと交互を行ってもよい。交互の内容は、基地局からユーザ装置までのPathloss値、協調ノードからユーザ装置までのPathloss値など、又は、両者間の差値などを含んでもよい。これは、X2インターフェースにて、上位層シグナリングにより実現することができ、また、従来の技術を採用することもできるので、ここでは、詳しい説明を略す。
【００９３】
ステップ1003：基地局が交互の結果に基づいて送信機の増幅器を調節し、又は、協調ノードに、送信機の増幅器を調節することを通知し、下り信号に対してパワー補償を行う。
【００９４】
以下、具体的な例に基づいて上述の方法について説明する。
【００９５】
例えば、基地局Aがユーザ装置に送信する下り信号のパワーは全て45dBmであり、協調ノードBがユーザ装置に送信する下り信号のパワーは30dBmである。先ず、基地局Aは、ユーザ装置から報告されている、基地局Aからユーザ装置までパスロス値Pathloss_A=90dB、及び、協調ノードBからユーザ装置までのパスロス値Pathloss_B=80dBを受信し、次に、基地局Aは、Pathloss_A及びPathloss_Bに基づいて、協調ノードBと交互を行い、最後に、基地局Aは、交互の結果に基づいて送信機の増幅器を調節し、送信パワーを45dBmから40dBmに調整し、これにより、該ユーザ装置に送信する下り信号のパワーは、-45dBmから-50dBmになり、ところが、協調ノードBについて調整せず、協調ノードBが該ユーザ装置に送信する下り信号のパワーは不変であり、依然として-50dBmである。よって、下り伝送時に、ユーザ装置が基地局及び協調ノードから受信した信号パワーが同じであるようになるため、従来のCodebookを使用することができる。
【００９６】
以上は、基地局側で下り信号のパワー補償を行うことについて例示的な説明だけであり、しかし、これに限定されず、実際の状況に応じて具体的な実施形態を確定してもよい。
【００９７】
他の実施形態では、基地局A及び協調ノードBは、同じセル識別子を有し、且つ、それぞれ、複数のアンテナポートを有し、基地局Aは、マクロ基地局であってもよく、協調ノードBは、RRHであっても良い。
【００９８】
具体的な実施に当たって、協調ノードBの複数アンテナは、基地局Aの延伸と見なされてもよく、基地局Aは、協調ノードBのアンテナを制御することができ、即ち、基地局Aは、複数の地理的に分布する、異なるアンテナポートを有しても良い。具体的に如何に制御するかは、従来の技術を採用して実現することができるので、ここでは、詳しい説明を略す。
【００９９】
さらに、ステップ901は、具体的に、基地局がユーザ装置から報告されている複数アンテナポートのパスロス値を受信し、又は、ユーザ装置から報告されている複数アンテナポートの参照信号受信パワー値に基づいて複数アンテナポートのパスロス値を計算する。
【０１００】
さらに、ステップ902は、具体的に、基地局が複数アンテナポートのパスロス値に基づいて、異なるアンテナポートに、異なる送信パワーを割り当てる。
【０１０１】
以下、具体的な例に基づいて上述の方法について説明する。例えば、パワー補償の前に、基地局Aの各アンテナのポートがユーザ装置に送信する下り信号のパワーは全て45dBmであり、協調ノードBの各アンテナのポートがユーザ装置に送信する下り信号のパワーは全て30dBmであるとする。
【０１０２】
先ず、基地局Aは、ユーザ装置から報告されている基地局A中の4個のアンテナポートからユーザ装置までのパスロス値Pathloss_1=90dB、Pathloss_2=90.01dB、Pathloss_3=90.02dB、Pathloss_4=90.03dB、及び、協調ノードB中の4個のアンテナポートからユーザ装置までのパスロス値Pathloss_5=80dB、Pathloss_6=80.51dB、Pathloss_7=80.52dB、Pathloss_8=80.53dBを受信する。
【０１０３】
次に、基地局Aは、上述のPathloss_1乃至Pathloss_8に基づいて、基地局A及び協調ノードB中の送信機の異なるアンテナポートの増幅器を調節することにより、アンテナポート1を不変にさせ、該アンテナポート1が該ユーザ装置に送信する下り信号のパワーは、45dBmであれば、ユーザ装置が受信した下り信号のパワーは-45dBmである。
【０１０４】
アンテナポート2が該ユーザ装置に送信する下り信号のパワーを45dBmから5.01dBmに変え、アンテナポート3が該ユーザ装置に送信する下り信号のパワーを45dBmから45.02dBmに変え、アンテナポート4が該ユーザ装置に送信する下り信号のパワーを45dBmから45.03dBmに変え、アンテナポート5が該ユーザ装置に送信する下り信号のパワーを30dBmから35dBmに変え、アンテナポート6が該ユーザ装置に送信する下り信号のパワーを30dBmから35.51dBmに変え、アンテナポート7が該ユーザ装置に送信する下り信号のパワーを30dBmから35.52dBmに変え、アンテナポート8が該ユーザ装置に送信する下り信号のパワーを30dBmから35.53dBmに変え、これにより、該ユーザ装置が受信した、各アンテナポートから下り信号のパワーは全て-45dBmであるようになる。よって、下り伝送時に、ユーザ装置が各アンテナポートから受信した信号パワーは全て同じであるようなるため、従来のCodebookを使用することができる。
【０１０５】
以上は、基地局側から下り信号のパワーに対して補償を行うことについての例示的な説明だけであり、しかし、これに限定されず、実際の状況に応じて具体的な実施形態を確定してもよい。
【０１０６】
本発明の実施例は、さらに、基地局を提供し、該基地局は、下り信号のパワーに対して補償を行うために用いられる。図11は、本発明の実施例における基地局の構成図である。該基地局は、基地局と協調ノードとがジョイントしてユーザ装置にサービスを提供する通信システムに用いる。
【０１０７】
図11に示すように、該基地局は、第二数値取得器1101及び第二パワー補償器1102を含む。
【０１０８】
そのうち、第二数値取得器1101は、ユーザ装置から報告されているパスロス値を受信するために用いられ、又は、第二数値取得器1101は、ユーザ装置から報告されている参照信号受信パワー値に基づいてパスロス値を計算するために用いられ、該パスロス値は、ユーザ装置と基地局側との間の信号のパワー損失を指示するために用いられる。
【０１０９】
第二パワー補償器1102は、パスロス値に基づいて、該ユーザ装置に送信する下り信号に対してパワー補償を行うために用いられる。
【０１１０】
一実施形態では、基地局及び協調ノードは、異なるセル識別子を有する。図12は、本発明の実施例における基地局の他の構成図である。図12に示すように、該基地局は、第二数値取得器1101及び第二パワー補償器1102を含み、上述のようである。
【０１１１】
本実施例では、パスロス値は、信号の基地局からユーザ装置までのパスロス値、及び、信号の協調ノードからユーザ装置までのパスロス値を含む。図12に示すように、該基地局は、さらに、第二情報交互器1201を含んでも良い。
【０１１２】
第二情報交互器1201は、基地局からユーザ装置までパスロス値、及び、協調ノードからユーザ装置までのパスロス値、又は、両者間の差に基づいて、該協調ノードと交互を行う。
【０１１３】
さらに、第二パワー補償器1102は、具体的に、交互の結果に基づいて送信機の増幅器を調節し、又は、協調ノードに、送信機の増幅器を調節することを通知し、下り信号に対してパワー補償を行う。
【０１１４】
他の実施形態では、基地局及び協調ノードは、同じセル識別子を有し、且つ、それぞれ、複数のアンテナポートを有し、即ち、基地局側は、複数の地理的に分布する、異なるアンテナポートを有する。
【０１１５】
第二数値取得器1101は、具体的に、ユーザ装置から報告されている複数アンテナポートのパスロス値を受信するために用いられ、又は、ユーザ装置から報告されている複数アンテナポートの参照信号受信パワー値に基づいて複数アンテナポートのパスロス値を計算するために用いられる。
【０１１６】
第二パワー補償器1102は、具体的に、複数アンテナポートのパスロス値に基づいて、異なるアンテナポートに、異なる送信パワーを割り当てるために用いられる。
【０１１７】
上述の実施例から分かるように、ユーザ装置から報告されているパスロス値又は参照信号受信パワー値に基づいて、基地局側は、下り信号のパワーに対して補償を行うことができる。これにより、下り伝送時に、ユーザ装置が各送信端から受信した信号パワーが同じであるようになるため、コードブックベースの伝送方式を多重化することができる。
【実施例３】
【０１１８】
本発明の実施例は、パワー補償方法を提供し、該方法は、ユーザ装置側から下り信号のパワーに対して補償を行うために用いられる。
【０１１９】
図13は、本発明の実施例におけるパワー補償方法のフローチャートであり、該方法は、基地局及び協調ノードがジョイントしてユーザ装置にサービスを提供する通信システムに用いる。図13に示すように、該方法は、次のステップを含む。
【０１２０】
ステップ1301：ユーザ装置が参照信号受信パワー値を測量する。
【０１２１】
ステップ1302：ユーザ装置が、測量した参照信号受信パワー値に基づいてパスロス値を計算し、該パスロス値が、ユーザ装置と基地局側との間の信号のパワー損失を指示するために用いられる。
【０１２２】
ステップ1303：ユーザ装置がパスロス値に基づいて基地局側から下り信号に対してパワー補償を行う。
【０１２３】
本実施例では、ユーザ装置は、従来の標準に基づいてRSRP値を取得することができ、また、従来の技術を採用することもできるので、ここでは、詳しい説明を略す。また、RSRP値に基づいてPathloss値を推定することができ、例えば、実施例1に記載のようである。その後、ユーザ装置は、該Pathloss値に基づいて下り信号に対してパワー補償を行うことができる。
【０１２４】
具体的な実施に当たって、システムの構成は、図1に示すようであってもよく、基地局側は、地理的に分布する基地局A及び協調ノードBを含む。
【０１２５】
一実施形態では、基地局A及び協調ノードBは異なるセル識別子を有し、基地局Aは、マクロ基地局であってもよく、協調ノードBは、Pico基地局であってもよい。図14は、本発明の実施例におけるパワー補償方法の他のフローチャートであり、図14に示すように、該方法は、次のステップを含む。
【０１２６】
ステップ1401：ユーザ装置がRSRP値を測量する。
【０１２７】
ステップ1402：ユーザ装置が、測量したRSRP値に基づいてPathloss値を計算する。
【０１２８】
具体的に地、Pathloss値は、信号の基地局からユーザ装置までパスロス値、及び、信号の協調ノードからユーザ装置までのパスロス値を含む。
【０１２９】
ステップ1403：ユーザ装置が、Pathloss値又はPathloss値の差に基づいて、基地局と交互を行う。
【０１３０】
具体的には、基地局は、ユーザ装置のために測量イベント（measurement  event）を構成し、ユーザ装置が測量したサービスセル信号及び協調セル信号が一定の条件を満たした時に、サービスセルの基地局にmeasurement  reportを報告するようにさせる。これは、上位層シグナリングにより実現することができ、また、従来の技術を採用することもできるので、ここでは、詳しい説明を略す。
【０１３１】
ステップ1404：ユーザ装置が交互の結果に基づいて増幅器を調節し、基地局からの下り信号、又は、協調ノードからの下り信号に対してパワー補償を行う。
【０１３２】
以下、具体的な例に基づいて上述の方法について説明する。
【０１３３】
例えば、基地局Aがユーザ装置に送信する下り信号のパワーは45dBmであり、協調ノードBがユーザ装置に送信する下り信号のパワーは30dBmである。先ず、ユーザ装置は、基地局Aからユーザ装置までのパスロス値Pathloss_A=90dB、及び、協調ノードBからユーザ装置までのパスロス値Pathloss_B=80dBを取得し、次に、ユーザ装置は、Pathloss_A及びPathloss_Bに基づいて、基地局Aと交互を行い、最後に、ユーザ装置は、交互の結果に基づいて増幅器を調節し、これにより、基地局Aが該ユーザ装置に送信する下り信号のパワーは、-45dBmから-50dBmになり、ところが、協調ノードBが該ユーザ装置に送信する下り信号のパワーは不変で、依然として-50dBmである。よって、下り伝送時に、ユーザ装置が各送信端から受信した信号パワーが同じであるようになるため、従来のCodebookを使用することができる。
【０１３４】
以上は、ユーザ装置側から下り信号のパワー補償を行うことについての例示的な説明だけであり、しかし、これに限定されず、実際の状況に応じて具体的な実施形態を確定しても良い。
【０１３５】
他の実施形態では、基地局A及び協調ノードBは、同じセル識別子を有し、且つ、それぞれ、複数のアンテナポートを有し、基地局Aは、マクロ基地局であってもよく、協調ノードBは、RRHであってもよい。
【０１３６】
具体的な実施に当たって、協調ノードBの複数アンテナは、基地局Aの延伸と見なされてもよく、基地局Aは、協調ノードBのアンテナを制御することができ、即ち、基地局Aは、複数の地理的に分布する、異なるアンテナポートを有することができる。具体的に如何に制御するかは、従来の技術を採用して実現することができるので、ここでは、詳しい説明を省略する。
【０１３７】
さらに、ステップ1301は、具体的に、ユーザ装置が複数アンテナポートの参照信号受信パワー値を測量する。
【０１３８】
さらに、ステップ1302は、具体的に、ユーザ装置が、測量した複数アンテナポートの参照信号受信パワー値に基づいて複数アンテナポートのパスロス値を計算する。
【０１３９】
さらに、ステップ1303は、具体的に、ユーザ装置が、複数アンテナポートのパスロス値に基づいて増幅器を調節し、異なるアンテナポートからの下り信号に対してパワー補償を行う。
【０１４０】
本実施例では、ステップ1301の前に、前記方法は、さらに、ユーザ装置が、基地局から送信されている、複数アンテナポートの参照信号受信パワー値を測量する、又は、複数アンテナポートのパスロス値を計算する通知を受信する。該通知に基づいて、ユーザ装置は、複数アンテナポートの参照信号受信パワー値を測量し、又は、複数アンテナポートのパスロス値を計算する。
【０１４１】
以下、具体的な例に基づいて上述の方法について説明する。例えば、パワー補償の前に、基地局Aの各アンテナポートがユーザ装置に送信する下り信号のパワーは全て45dBmであり、協調ノードBの各アンテナポートがユーザ装置に送信する下り信号のパワーは全て30dBmであるとする。
【０１４２】
先ず、ユーザ装置は、基地局A中の4個のアンテナポートからユーザ装置までのパスロス値Pathloss_1=90dB、Pathloss_2=90.01dB、Pathloss_3=90.02dB、Pathloss_4= 90.03dB、及び、協調ノードB中の4個のアンテナポートからユーザ装置までのパスロス値Pathloss_5=80dB、Pathloss_6=80.51dB、Pathloss_7=80.52dB、Pathloss_8=80.53dBを受信する。
【０１４３】
次に、ユーザ装置は、上述のPathloss_1乃至Pathloss_8に基づいて増幅器を調節し、これにより、該ユーザ装置が受信した各アンテナポートからの下り信号のパワーは全て-45dBmであるようになる。よって、下り伝送時に、ユーザ装置が各アンテナポートから受信した信号パワーが同じであるようになるため、従来のCodebookを使用することができる。
【０１４４】
以上は、ユーザ装置側から下り信号のパワー補償を行うことについての例示的な説明だけであり、しかし、これに限定されず、実際の状況に応じて具体的な実施形態を確定指定もよい。
【０１４５】
本発明の実施例は、さらに、ユーザ装置を提供し、該ユーザ装置は、下り信号のパワーに対して補償を行うために用いられる。図15は、本発明の実施例における基地局の構成図であり、該基地局は、基地局及び協調ノードがジョイントしてユーザ装置にサービスを提供する通信システムに用いる。
【０１４６】
図15に示すように、該ユーザ装置は、第二数値測量器1501、第二数値計算器1502及び第三パワー補償器1503を含む。
【０１４７】
そのうち、第二数値測量器1501は、参照信号受信パワー値を測量する。
【０１４８】
第二数値計算器1502は、測量された参照信号受信パワー値に基づいてパスロス値を計算するために用いられ、該パスロス値は、ユーザ装置と基地局側との間の信号のパワー損失を指示するために用いられる。
【０１４９】
第三パワー補償器1503は、パスロス値又は参照信号受信パワー値に基づいて、基地局側からの下り信号に対してパワー補償を行うために用いられる。
【０１５０】
一実施形態では、基地局及び協調ノードは、異なるセル識別子を有する。図16は、本発明の実施例におけるユーザ装置の他の構成図であり、図16に示すように、該ユーザ装置は、第二数値測量器1501、第二数値計算器1502及び第三パワー補償器1503を含み、上述のようである。
【０１５１】
本実施例では、パスロス値は信号の基地局からユーザ装置までのパスロス値、及び、信号の協調ノードからユーザ装置までのパスロス値を含む。図16に示すように、該ユーザ装置は、さらに、第三情報交互器1601を含んでも良い。
【０１５２】
第三情報交互器1601は、基地局からユーザ装置までのパスロス値、及び、協調ノードからユーザ装置までのパスロス値、又は、両者間の差に基づいて、基地局と交互を行うために用いられる。
【０１５３】
さらに、第三パワー補償器1502は、具体的に、交互の結果に基づいて増幅器を調節し、基地局からの下り信号、又は、協調ノードからの下り信号に対してパワー補償を行うために用いられる。
【０１５４】
他の実施形態では、基地局及び協調ノードは、同じセル識別子を有し、且つ、それぞれ複数のアンテナポートを有し、即ち、基地局側は、複数の地理的に分布する、異なるアンテナポートを有してもよい。
【０１５５】
第二数値測量器1501は、具体的に、複数アンテナポートの参照信号受信パワー値を取得するために用いられる。
【０１５６】
第二数値計算器1502は、具体的に、測量された複数アンテナポートの参照信号受信パワー値に基づいて、複数アンテナポートのパスロス値を計算するために用いられる。
【０１５７】
第三パワー補償器1503は、具体的に、複数アンテナポートのパスロス値に基づいて増幅器を調整し、異なるアンテナポートからの下り信号に対してパワー補償を行うために用いられる。
【０１５８】
本実施例では、ユーザ装置は、更に、通知受信器を含んでもよく、該通知受信器は、基地局が送信した、複数アンテナポートの参照信号受信パワー値を受信する、又は、複数アンテナポートのパスロス値を計算する通知を受信するために用いられる。
【０１５９】
上述の実施例から分かるように、ユーザ装置は、パスロス値又は参照信号受信パワー値を得た後の、下り信号のパワーに対して補償を行うことができる。これにより、下り伝送時に、ユーザ装置が各送信端から受信した信号パワーが同じであるようになるため、コードブックバースの伝送方式を多重化することができる。
【０１６０】
図17は、本発明の実施例におけるユーザ装置1700のシステム構成のブロック図でありそのうち、実施例1に記載の上述の第一数値測量器801、第一数値計算器802、及び第一数値報告器803を含む。図18は、本発明の実施例におけるユーザ装置1800のシステム構成のブロック図であり、そのうち、実施例3に記載の上述の第二数値測量器1501、第二数値計算器1502、及び第三パワー補償器1503を含む。
【０１６１】
図17乃至図18は、例示的なものだけであるが、他のタイプの構成を採用して該構成について補充又は代替を行い、電気通信機能又は他の機能を実現しても良い。
【０１６２】
図17乃至図18に示すように、ユーザ装置1700、1800は、更に、中央処理ユニット100、通信モジュール110、入力ユニット120、音声処理ユニット130、記憶ユニット140、カメラ150、表示器160、電源170を含んでも良い。
【０１６３】
前記中央処理ユニット100は（制御器又は操作コントローラとも称され、マイクロ処理器又は他の処理器装置及び/又はロジック装置を含んでも良い）は、入力を受信し、ユーザ装置の各部及び操作を制御する。入力ユニット120は、中央処理ユニット100に入力を提供する。該入力ユニット120は、例えば、キーボード又はタッチ入力装置である。カメラ150は、画像データを取得するために用いられ、取得した画像データを中央処理ユニット100に提供し、通常の方式で使用してもらい、記憶、伝送などのために使用してもらう。電源170は、ユーザ装置に電力を提供するために用いられる。表示器160は、画像及び文字などの表示対象を表示するために用いられる。該表示器は、例えば、LCD表示きであってもよいが、これに限定されない。
【０１６４】
記憶ユニット140は、中央処理ユニット100に結合される。該記憶ユニット140は、固体記憶ユニット、例えば、ROM、RAM、SIMカードなどであってもよい。さらに、このような記憶ユニット、即ち、電気が切れた（消えた）時にも情報を保存することができるものであって、データを選択的に削除することによって、より多くのデータを保存することができるものであってもよく、該記憶ユニットの例は、EPROMなどと称されることがある。記憶ユニット140は、さらに、他のタイプの装置であってもよい。記憶ユニット140は、バーファリング記憶ユニット141（バーファとも称されることがある）を含む。記憶ユニット140は、応用/機能記憶部142を含んでもよく、該応用/機能記憶部142は、応用プログラム及び機能プログラムを記憶するために用いられ、又は、中央処理ユニット100を経由してユーザ装置の操作フローを実行させる。
【０１６５】
記憶ユニット140は、さらに、データ記憶部143を含んでもよく、該データ記憶部143は、記憶データ、例えば、連絡帳、デジタルデータ、画像、声音及び/又は他の任意のユーザ装置に使用し得るデータを記憶するために用いられる。記憶ユニット140の駆動プログラム記憶部144は、ユーザ装置の通信機能及び/又はユーザ装置の他の機能（例えば、メッセージ伝送応用（アプロケーション）、電話帳アプリケーション（応用）など）を実現するための各種の駆動型プログラムを含んでも良い。
【０１６６】
通信モジュール110は、アンテナ111を経由して信号を送信及び受信する送信機/受信機110である。通信モジュール（送信機/受信機）110は、中央処理ユニット100に結合され、入力信号を提供し及び出力信号を受信し、これは、通常の携帯電話の場合と同じである。
【０１６７】
異なる通信技術により、同一ユーザ装置では、複数の通信モジュール110、例えば、セルネットワークモジュール、Bluetooth(登録商標)モジュール及び/又は無線LANモジュールなどを設置しても良い。通信モジュール（送信機/受信機）110は、さらに、音声処理ユニット130を経由してスピーカー131及びマイク132に結合され、スピーカー131を経由して音声出力を提供し、また、マイク132からの音声入力を受信し、これにより、通常の電気通信機能を実現する。音声処理ユニット130は、任意の適切なバーファ、デコーディングユニット、増幅器などを含んでもよい。また、音声処理ユニット130は、さらに、中央処理ユニット100に結合され、これにより、マイク132を経由してローカルで録音をすることができるようになり、且つ、スピーカー131を経由してローカルで記憶している声音を再生することができるようなる。
【０１６８】
本発明の実施例は、更に、コンピュータ可読プログラムを提供し、そのうち、ユーザ装置において該プログラムを実行する時に、該プログラムは、コンピュータに、該ユーザ装置において実施例1乃至実施例3に記載の上述のパワー補償方法を実行させることができる。
【０１６９】
本発明の実施例は、さらに、コンピュータ可読プログラムを記憶している記憶媒体を提供し、そのうち、該コンピュータ可読プログラムは、コンピュータに、ユーザ装置において実施例1乃至実施例3に記載の上述のパワー補償方法を実行させることができる。
【０１７０】
本発明の実施例は、さらに、コンピュータ可読プログラムを提供し、そのうち、基地局において該プログラムを実行する時に、該プログラムは、コンピュータに、該基地局において、実施例1乃至実施例3に記載の上述のパワー補償方法を実行させることができる。
【０１７１】
本発明の実施例は、さらに、コンピュータ可読プログラムを記憶している記憶媒体を提供し、そのうち、該コンピュータ可読プログラムは、コンピュータに、基地局において、実施例1乃至実施例3に記載の上述パワー補償方法を実行させることができる。
【０１７２】
本発明の以上の装置及びび方法は、ハードウェアにより実現されてもよく、ハードウェア及びびソフトウェアの組み合わせにより実現されても良い。本発明は、また、このようなロジック部品可読プログラムにも関し、該プログラムは、ロジック部品により実行（直接実行、又は、インタープリット、コンパイル後に実行）されるときに、該ロジック部品に、上述の装置又は構成部品を実現させ、又は、該ロジック部品に、上述の各種類の方法又はステップを実現させることができる。ロジック部品は、例えば、フィールドプログラマブルロジック部品、マイクロプロセッサー、コンピュータに用いる処理器などであっても良い。本発明は、さらに、以上のプログラムを記憶している記憶媒体、例えば、ハードディスク、磁気ディスク、光ディスク、DVD、flashメモリ、光磁気ディスク、メモリカード、メモリスティックなどにも関する。
【０１７３】
以上、具体的な実施形態を基に本発明について説明したが、当業者が理解すべきは、これらの説明は、例示的なものだけであり、本発明の保護範囲を制限するものではない。当業者は、本発明の思想及びび原理に基づいて、本発明に対してあらゆる変形及びび変更をしてもよく、これらの変形及びび変更も、本発明の技術的範囲に属する。
【図１】
2014517579.tif 000003
【図２】
2014517579.tif 000004
【図３】
2014517579.tif 000005
【図４】
2014517579.tif 000006
【図５】
2014517579.tif 000007
【図６】
2014517579.tif 000008
【図７】
2014517579.tif 000009
【図８】
2014517579.tif 000010
【図９】
2014517579.tif 000011
【図１０】
2014517579.tif 000012
【図１１】
2014517579.tif 000013
【図１２】
2014517579.tif 000014
【図１３】
2014517579.tif 000015
【図１４】
2014517579.tif 000016
【図１５】
2014517579.tif 000017
【図１６】
2014517579.tif 000018
【図１７】
2014517579.tif 000019
【図１８】
2014517579.tif 000020
【国際調査報告】
2014517579.tif 000021
2014517579.tif 000022
2014517579.tif 000023
2014517579.tif 000024
2014517579.tif 000025
2014517579.tif 000026